(57)【要約】【課題】発光体モジュールから発せられた光を下方へ向かうように拡散させることができる照明器具を提供する。【解決手段】照明器具１００は、発光体モジュール７と拡散カバー５とを備えている。発光体モジュール７は、円柱状の外側面または角柱状の外側面を有し、複数の発光体９が円柱状の外側面上または角柱状の外側面上に設けられている。拡散カバー５は、複数の発光体９を取り囲むように設けられ、上下が反転した裁頭円錐形状の周面に沿って下側に向かって先細りとなるように延び、複数の発光体９が発する光を拡散させる。【選択図】図２
2018101477.tif 000002
【特許請求の範囲】
【請求項１】
円柱状の外側面または角柱状の外側面を有し、複数の発光体が前記円柱状の外側面上または前記角柱状の外側面上に設けられた発光体モジュールと、
前記複数の発光体を取り囲むように設けられ、上下が反転した裁頭円錐形状の周面に沿って下側に向かって先細りとなるように延び、前記複数の発光体が発する光を拡散させる拡散カバーと、を備えた、照明器具。
【請求項２】
前記発光体モジュールの上方に設けられ、光を下方に向かって反射する凹面を有する反射カバーをさらに備え、
前記発光体モジュールの上側部は、前記反射カバーの前記凹面によって取り囲まれている、請求項１に記載の照明器具。
【請求項３】
前記発光体モジュールの上側に設けられ、前記発光体モジュールを覆う天板をさらに備えた、請求項１または２に記載の照明器具。
【請求項４】
前記天板は、前記天板の周縁部に沿って設けられ、外側へ向かって下方に傾斜するテーパ部を有する、請求項３に記載の照明器具。
【請求項５】
前記天板の熱貫流率が前記拡散カバーの熱貫流率よりも高い、請求項３または４に記載の照明器具。
【請求項６】
前記天板と前記発光体モジュールとの間に隙間を有するように、前記天板と前記発光体モジュールとが配置された、請求項３〜５のいずれかに記載の照明器具。
【請求項７】
前記天板と前記拡散カバーとの間に隙間を有するように、前記天板と前記拡散カバーとが配置された、請求項３〜６のいずれかに記載の照明器具。
【請求項８】
前記発光体モジュールは、空間を取り囲む筒状をなしており、
前記複数の発光体に電力を供給する電源と、
前記電源が設置された載置台と、
前記載置台と一体となって前記電源を収納する空間を形作り、前記発光体モジュールを下方から支持する支持部と、をさらに備え、
前記支持部は、前記電源を収納する空間を前記発光体モジュールによって取り囲まれた空間に連通させる貫通孔を有する、請求項１〜７のいずれかに記載の照明器具。
【請求項９】
前記拡散カバーの下側部を取り囲むように設けられた透明の保護カバーをさらに備えた、請求項１〜８のいずれかに記載の照明器具。
【発明の詳細な説明】
【技術分野】
【０００１】
本発明は、複数の発光体を光源として用いる照明器具に関する。
【背景技術】
【０００２】
近年、複数の発光体、たとえば、複数のＬＥＤ（Light Emitting Diode）を光源として用いる照明器具が採用される事例が多くなっている。このような照明器具においては、複数のＬＥＤが発する光を拡散カバーによって拡散させている。これは、ＬＥＤのような点光源に近い光源から発する光を分散して周囲に均一に照射するためである（特許文献１参照）。
【先行技術文献】
【特許文献】
【０００３】
【特許文献１】特開２０１１−１７５９１６号公報
【発明の概要】
【発明が解決しようとする課題】
【０００４】
上記した従来の照明器具においては、縦方向に延びる円柱状または角柱状の外側面に複数のＬＥＤが設けられている発光体モジュールが用いられているものがある。この場合、発光体モジュールは、縦方向に沿って延びる円筒状の拡散カバーによって取り囲まれている。そのため、従来の照明器具は、発光体モジュールが横方向に発した光を円筒状の拡散カバーによって水平面に対して上下対称に拡散させている。言い換えると、従来の照明器具は、発光体モジュールから側方に向けて発せられた光を下方へ向かうように拡散させるものではない。したがって、従来の複数のＬＥＤを用いた照明器具は、下方へ向かう指向性を有する光を照射する用途には適しているとは言えない。
【０００５】
本発明は、このような従来技術の有する課題に鑑みてなされたものである。そして、本発明の目的は、発光体モジュールから発せられた光を下方へ向かうように拡散させることができる照明器具を提供することである。
【課題を解決するための手段】
【０００６】
上記課題を解決するために、本発明の態様に係る照明器具は、円柱状の外側面または角柱状の外側面を有し、複数の発光体が前記円柱状の外側面上または前記角柱状の外側面上に設けられた発光体モジュールと、前記複数の発光体を取り囲むように設けられ、上下が反転した裁頭円錐形状の周面に沿って下側に向かって先細りとなるように延び、前記複数の発光体が発する光を拡散させる拡散カバーと、を備えている。
【発明の効果】
【０００７】
本発明によれば、発光体モジュールが側方へ向かって発した光を下方へ向かうように拡散させることができる。
【図面の簡単な説明】
【０００８】
【図１】本発明の実施の形態の照明器具の分解斜視図である。
【図２】本発明の実施の形態の照明器具の縦断面図である。
【図３】本発明の実施の形態の照明器具の側面図である。
【図４】本発明の実施の形態の照明器具の支持部、拡散カバー、および発光体モジュールの位置関係を説明するための分解斜視図である。
【発明を実施するための形態】
【０００９】
以下、図面を参照しながら、実施の形態の照明器具を説明する。各図面においては、同一の参照符号が同一の部分に付されている。同一の参照符号が付された同一の部分の説明は、特に必要がなければ、各図において繰り返されない。
【００１０】
図１および図２に示されるように、照明器具１００は、円柱状の接続部２０を備えている。円柱状の接続部２０は、たとえば、図３に示される長さ１５ｍ程度の長尺のポール１１の上端部に接続される。本実施の形態の照明器具１００は、道路、広場、または競技場等の屋外照明のために用いられる。
【００１１】
照明器具１００は、接続部２０の上部に設けられた円盤状の載置台３を備えている。載置台３は、その上面から上方へ延びる取付金具３１を有している。照明器具１００は、載置台３上に設置され、複数の発光体９に電力を供給する電源３０を備えている。
【００１２】
照明器具１００は、載置台３と一体となって電源３０を収納する空間を形作り、発光体モジュール７を下方から支持する支持部４を備えている。支持部４は、取付金具３１の上端に取り付けられている。
【００１３】
図４に示されるように、支持部４は、裁頭円錐形状の周面に沿った部分４１を主たる部分として有している。また、支持部４は、裁頭円錐の上側の相対的に小さいほうの円形の底面の周縁部に沿った環状部４２と、裁頭円錐の上側の相対的に大きいほうの円形の底面の周縁部から外側に延びる鍔部４３と、を有する。
【００１４】
支持部４は、図２および図４に示されるように、電源３０を収納する空間を発光体モジュール７によって取り囲まれた空間に連通させる貫通孔４ａを有している。そのため、電源３０が発する熱を電源３０の周囲の空間から発光体モジュール７によって取り囲まれた空間へ逃がすことができる。
【００１５】
図１および図２に示されるように、照明器具１００は、発光体モジュール７と拡散カバー５とを備えている。発光体モジュール７と拡散カバー５とは、図４に示される支持部４の環状部４２によって支持されている。
【００１６】
発光体モジュール７は、全体として、空間を取り囲む筒状をなしている。発光体モジュール７は、本実施の形態においては、平面視が六角形の筒状をなしているが、平面視が三角形、四角形、八角形、十二角形、または、円形の筒状をなしていてもよい。発光体モジュール７は、角柱状の外側面を有している筒部７ａを有している。筒部７ａは、角柱状の外側面の代わりに、円柱状の外側面を有していてもよい。発光体モジュール７は、筒部７ａの上端部から上方へ延びる４つの取付部７ｂを有している。取付部７ｂの上端には、後述される天板１０が取り付けられる。
【００１７】
発光体モジュール７は、その円柱状の外側面上に設けられた複数の発光体９を有している。複数の発光体９は、本実施の形態においては、六角柱の外側面を構成する６つの長方形の平面のそれぞれ上に固定された基板８上にマトリックス状に取り付けられている。複数の発光体９は、筒状の発光体モジュール７の内側において延びる配線（図示せず）によって電源３０から電力を供給される。本実施の形態においては、発光体９は、ＬＥＤ(Light Emitting Diode)であるが、粒状に発光する発光体であれば、いかなるものであってもよい。
【００１８】
図３に示されるように、拡散カバー５は、側面視において、台形をなしている。また、拡散カバー５は、図示されていないが、平面視において、環状をなしている。つまり、拡散カバー５は、複数の発光体９を取り囲むように設けられ、上下が反転した裁頭円錐形状の周面に沿って下側に向かって先細りとなるように延びている。この拡散カバー５の形状により、照明器具１００のデザイン性が向上している。また、拡散カバー５の形状と支持部４の形状とのバランス感が良好なものとなっている。
【００１９】
なお、裁頭円錐形状とは、円錐をその底面に平行な面に沿って切断したときに形成される円錐ではない部分の形状を言う。つまり、裁頭円錐形状とは、中心軸を共有するように互いに平行に配置された直径の異なる２つの円形面とそれら２つの円形面とを接続する円錐の側面の一部とによって形作られる形状である。
【００２０】
拡散カバー５は、乳白色のアクリル製樹脂からなる不透明な材料で形成されている。そのため、拡散カバー５は、複数の点光源が発する光に近い状態の複数の発光体９による複数の粒状の光を均一に広がる拡散光に変換する。したがって、複数の発光体９が発する光の粒々感を消失させることにより、照明器具１００は全体として優しい光を周囲に照射することができる。また、拡散カバー５は、下方に向かうにしたがって先細りとなるノズルのような形状を有している。そのため、発光体モジュール７から発せられた光を発光体モジュール７から下方へ向かうように拡散させる。
【００２１】
図１および図２から分かるように、照明器具１００は、発光体モジュール７の上方に設けられ、光を下方に向かって反射する凹面を有する反射カバー１を備えている。そのため、発光体モジュール７の上側部は、反射カバー１の凹面によって取り囲まれている。凹面は、メタリックグレー塗装がなされている。後述される透明の保護カバー２の上端部は、発光体モジュール７の上側部よりも低い位置に配置されている。
【００２２】
反射カバー１は、半球状の凹面を有しているため、発光体モジュール７から上方および側方へ向かって進行する光を下方へ向かって反射する。そのため、発光体モジュール７が発した光に下方への指向性を持たせることができる。したがって、照明器具１００の下方に効率的に光を照射することができる。また、照明器具１００の側方へ不必要な光が照射されることを防止することができる。そのため、照明器具１００が屋外で用いられる場合に、照明器具１００から側方へ進行する不必要な光が近隣の住民等に悪影響を与えることを抑制することができる。
【００２３】
本実施の形態においては、反射カバー１は、凹面が半球面である半球殻状をなしているが、複数の発光体９が発する光を下方に向かって反射することができる凹面を有しているのであれば、他のいかなる形状を有していてもよい。
【００２４】
照明器具１００は、発光体モジュール７の上側に設けられ、発光体モジュール７を覆う天板１０を備えている。天板１０の下側面は、白い塗装がなされているため、発光体モジュール７が発した光を下方に向かって反射する。また、発光体モジュール７を施工するとき、または、発光体モジュール７をメインテナンスするときに、反射カバー１を取り外した状態で、作業者が発光体モジュール７に触れて感電することが天板１０によって防止されている。
【００２５】
天板１０の熱貫流率は、拡散カバー５の熱貫流率よりも高い。そのため、天板１０を通じて発光体モジュール７の周辺の熱を天板１０の上方へ逃がすことができる。天板１０は、本実施の形態において、アルミニウム製である。
【００２６】
図２から分かるように、４つの取付部７ｂが天板１０を支持している。そのため、照明器具１００の側面視において、天板１０と発光体モジュール７との間に隙間ＣＬ１を有するように、天板１０と発光体モジュール７とが配置されている。また、図２および図３から分かるように、天板１０と拡散カバー５との間に隙間ＣＬ２を有するように、天板１０と拡散カバー５とが配置されている。そのため、電源３０がその周囲の空間へ発した熱を、支持部４の貫通孔４ａ、発光体モジュール７によって取り囲まれた空間、および隙間ＣＬ１，ＣＬ２を経由して、拡散カバー５および天板１０によって囲まれた空間の外部へ逃がすことができる。したがって、電源３０の冷却効果が向上している。また、発光体モジュール７が発した熱を、隙間ＣＬ１，ＣＬ２を経由して、拡散カバー５および天板１０によって囲まれた空間の外部へ逃がすこともできる。
【００２７】
天板１０は、天板１０の周縁部に沿って設けられ、外側へ向かって下方に傾斜するテーパ部１０ａを有している。そのため、天板１０と拡散カバー５とによって囲まれた空間へ流れ出る空気を下方に向けることができる。これによれば、本実施の形態のように、発光体モジュール７、拡散カバー５、および天板１０等が反射カバー１および後述される保護カバー２によって密閉された空間に設けられている場合に、密閉空間において空気を対流させ易くなる。したがって、照明器具１００の外部への熱の放出を促進させ易くすることができる。
【００２８】
照明器具１００は、拡散カバー５の下側部を取り囲むように設けられた透明の保護カバー２を備えている。そのため、下方へ向かう光の進行を阻害することなく、拡散カバー５の下側部分を保護することができる。
【００２９】
透明の保護カバー２は、本実施の形態においては、半球状をなしているが、拡散カバー５の下側部を取り囲むように設けられていれば、他のいかなる形状をなしていてもよい。拡散カバー５の光の透過の度合によっては、透明の保護カバー２の代わりに、乳白色のポリカーボネート樹脂製の保護カバーが用いられてもよい。この場合、乳白色のポリカーボネート樹脂製の保護カバーは、透明度がある程度高いことが好ましい。
【００３０】
図１に示されるように、透明の保護カバー２の周囲には、光を反射するルーバー６が選択的に設けられ得る。ルーバー６は、半球状の透明の保護カバー２の形状に対応した曲面形状を有している。これによれば、光が進行する方向を制限することにより、照明器具１００が設置されている近隣の住民が明る過ぎる光の悪影響を受けるおそれを防止することができる。
【００３１】
以下、実施の形態の照明器具１００の特徴的構成およびそれにより得られる効果を記載する。
【００３２】
（１）  照明器具１００は、発光体モジュール７と拡散カバー５とを備えている。発光体モジュール７は、円柱状の外側面または角柱状の外側面を有し、複数の発光体９が円柱状の外側面上または角柱状の外側面上に設けられている。拡散カバー５は、複数の発光体９を取り囲むように設けられ、上下が反転した裁頭円錐形状の周面に沿って下側に向かって先細りとなるように延び、複数の発光体９が発する光を拡散させる。これによれば、発光体モジュール７から側方へ向かって発せられた光を下方へ向かうように拡散させることができる。
【００３３】
（２）  照明器具１００は、発光体モジュール７の上方に設けられ、光を下方に向かって反射する凹面を有する反射カバー１をさらに備えていてもよい。また、発光体モジュール７の上側部は、反射カバー１の凹面によって取り囲まれていてもよい。これによれば、発光体モジュール７から上方および側方へ向かって進行する光が反射カバー１によって下方へ向かって反射させられるため、発光体モジュール７が発した光に下方への指向性を持たせることができる。したがって、照明器具１００の下方に効率的に光を照射することができる。また、側方へ不必要な光が照射されることを防止することができる。
【００３４】
（３）  照明器具１００は、発光体モジュール７の上側に設けられ、発光体モジュール７を覆う天板１０をさらに備えていてもよい。これによれば、発光体モジュール７を施工するとき、または、発光体モジュール７をメインテナンスするときに、作業者が発光体モジュール７に触れて感電することを天板１０によって防止することができる。
【００３５】
（４）  天板１０は、天板１０の周縁部に沿って設けられ、外側へ向かって下方に傾斜するテーパ部１０ａを有していることが好ましい。これによれば、発光体モジュール７、拡散カバー５、および天板１０等が密閉空間に設けられた場合、密閉空間において空気を対流させ易くなる。したがって、照明器具１００の外部への熱の放出を促進させ易くすることができる。
【００３６】
（５）  天板１０の熱貫流率が拡散カバー５の熱貫流率よりも高いことが好ましい。これによれば、天板１０を通じて発光体モジュール７の周辺の熱を天板１０の上方へ逃がすことができる。
【００３７】
（６）  天板１０と発光体モジュール７との間に隙間ＣＬ１を有するように、天板１０と発光体モジュール７とが配置されていることが好ましい。これによれば、隙間ＣＬ１を経由して発光体モジュール７の内側の熱を発光体モジュール７の外側に逃がすことができる。
【００３８】
（７）  天板１０と拡散カバー５との間に隙間ＣＬ２を有するように、天板１０と拡散カバー５とが配置されていることが好ましい。これによれば、隙間ＣＬ２を経由して発光体モジュール７の周辺の熱を拡散カバー５の外側に逃がすことができる。
【００３９】
（８）  発光体モジュール７は、空間を取り囲む筒状をなしてもよい。また、照明器具１００は、複数の発光体９に電力を供給する電源３０と、電源３０が設置された載置台３と、載置台３と一体となって電源３０を収納する空間を形作り、発光体モジュール７を下方から支持する支持部４とをさらに備えていてもよい。支持部４は、電源３０を収納する空間を発光体モジュール７によって取り囲まれた空間に連通させる貫通孔４ａを有していてもよい。これによれば、電源３０の周囲の空間へ電源３０が発した熱を、発光体モジュール７によって取り囲まれた空間へ逃がすことができる。
【００４０】
（９）  照明器具１００は、拡散カバー５の下側部を取り囲むように設けられた透明の保護カバー２をさらに備えていることが好ましい。これによれば、拡散カバー５から下方へ向かう光の進行を阻害することなく、拡散カバー５の下側部分を保護することができる。
【符号の説明】
【００４１】
１  反射カバー
２  保護カバー
４  支持部
５  拡散カバー
７  発光体モジュール
９  発光体
１０  天板
１０ａ  テーパ部
３０  電源
１００  照明器具
ＣＬ１，ＣＬ２  隙間
【図１】
2018101477.tif 000003
【図２】
2018101477.tif 000004
【図３】
2018101477.tif 000005
【図４】
2018101477.tif 000006